【手続補正書】
【提出日】平成19年11月14日(2007.11.14)
【手続補正１】
【補正対象書類名】特許請求の範囲
【補正対象項目名】全文
【補正方法】変更
【補正の内容】
【特許請求の範囲】
【請求項１】
文書のデータを印刷装置に対応する印刷ジョブに変換する印刷制御プログラムを備える情報処理装置と、当該印刷ジョブの印刷ログを管理する印刷ログ管理装置と通信が可能な印刷ログ収集装置であって、
前記印刷装置に対応する印刷ジョブに変換する印刷制御プログラムにて生成された印刷ジョブの、印刷者を含む印刷属性と、テキストデータまたはイメージデータのオブジェクトとを含む情報を印刷ログとして前記情報処理装置から取得する印刷ログ取得手段と、
前記取得手段で印刷ログとして取得した前記情報に対応する印刷ログが、前記印刷ログ管理装置に記憶されていない場合、前記印刷ログとして取得した前記情報を印刷ログとして前記印刷ログ管理装置に送信し、
前記印刷ログとして取得した前記情報に対応する印刷ログが、前記印刷ログ管理装置に記憶されている場合、前記印刷ログとして取得した前記情報の、前記印刷者を含む印刷属性の情報を印刷ログとして前記印刷ログ管理装置に送信する送信手段とを備えることを特徴とする印刷ログ収集装置。
【請求項２】
前記取得手段で印刷ログとして取得した前記情報から前記文書のデータを特定するための識別情報を取得する識別情報取得手段と、
前記識別情報取得手段で取得された識別情報を前記印刷ログ管理装置に問合せする問合せ手段とを備え、
前記送信手段は、前記問合せの問合せ結果に従って、前記印刷ログとして取得した情報、または前記印刷ログとして取得した前記情報の前記印刷者を含む印刷属性の情報を送信することを特徴とする請求項１に記載の印刷ログ収集装置。
【請求項３】
前記取得手段で印刷ログとして取得した前記情報のオブジェクトがテキストデータのオブジェクトかイメージデータのオブジェクトかを判定する判定手段と、
前記オブジェクトがテキストデータのオブジェクトであった場合、当該テキストデータ内を検索する検索手段と、を備え、
前記識別情報は前記検索手段によって検索されることを特徴とする請求項２に記載の印刷ログ収集装置。
【請求項４】
文書のデータを印刷装置に対応する印刷ジョブに変換する印刷制御プログラムを備える情報処理装置と、前記印刷ジョブの印刷ログを収集する印刷ログ収集装置と、当該印刷ログを管理する印刷ログ管理装置とが通信が可能な印刷ログ管理システムであって、
前記情報処理装置は、
前記印刷制御プログラムによって変換される前記印刷ジョブの、印刷者を含む印刷属性と、テキストまたはイメージデータのオブジェクトとを含む情報を印刷ログとして前記印刷ログ収集装置に送信する第1の送信手段とを備え、
前記印刷ログ収集装置は、
前記印刷装置に対応する印刷ジョブに変換する印刷制御プログラムにて生成された印刷ジョブの、前記印刷者を含む印刷属性と、前記テキストデータまたはイメージデータのオブジェクトとを含む情報を印刷ログとして前記情報処理装置から取得する印刷ログ取得手段と、
前記印刷ログ取得手段で印刷ログとして取得した前記情報に対応する印刷ログが、前記印刷ログ管理装置に記憶されていない場合、前記印刷ログとして取得した前記情報を印刷ログとして前記印刷ログ管理装置に送信し、前記印刷ログ取得手段で印刷ログとして取得した前記情報に対応する印刷ログが、前記印刷管理装置に記憶されている場合、前記印刷ログとして取得した前記情報の、前記印刷者を含む印刷属性の情報を印刷ログとして前記印刷ログ管理装置に送信する第２の送信手段とを備えることを特徴とする印刷ログ管理システム。
【請求項５】
前記印刷ログ管理システムは、予め印刷ログとして登録するための印刷ログ登録プログラムを備える文書登録装置を備え、
前記文書登録装置は、
前記登録する印刷ログを管理するための識別情報を、前記印刷ログ管理装置から取得する識別情報取得手段と、
前記識別情報取得手段で取得した識別情報を、印刷ログとして登録するための文書のデータに入力する入力手段と、
前記印刷ログ登録プログラムよって生成される、前記識別情報が入力された文書のデータの印刷ログを前記印刷ログ管理装置に送信する第３の送信手段を備えることを特徴する請求項４に記載の印刷ログ管理システム。
【請求項６】
前記情報処理装置と前記文書登録装置は別筐体で構成されることを特徴とする請求項５に記載の印刷ログ管理システム。
【請求項７】
前記印刷ログ収集装置は
前記印刷ログとして取得した前記情報から前記文書のデータを特定するための識別情報を取得する識別情報取得手段と、
前記識別情報取得手段で取得される識別情報を印刷ログ管理装置に問い合わせする問合せ手段と、
前記第２の送信手段は、前記問合せ手段による印刷ログ管理サーバからの問合せ結果で前記識別情報が登録済みであった場合、前記印刷ログとして取得した前記情報の前記印刷者を含む印刷属性の情報とともに前記識別情報を送信することを特徴とし、
前記印刷ログ管理装置は
前記第２の送信手段で送信された、前記印刷者を含む印刷属性の情報とともに前記識別情報を受信する受信手段と、
前記受信手段で受信した前記印刷者を含む印刷属性の情報を、前記識別情報に従って印刷ログとして登録する登録手段とを備えることを特徴とする請求項４乃至６の何れか１項に記載の印刷ログ管理システム。
【請求項８】
前記登録手段は、前記印刷ログ管理装置に記憶されている前記識別情報と前記印刷者を含む印刷属性の情報とを関連付けて登録することを特徴とする請求項７に記載の印刷ログ管理システム。
【請求項９】
前記印刷ログ収集装置は
前記第１の送信手段は、前記識別情報取得手段で識別情報が取得できない場合、前記識別情報を空値として、当該空値の識別情報を前記印刷ログ取得手段で印刷ログとして取得した情報とともに送信することを特徴とする請求項４乃至８の何れか１項に記載の印刷ログ管理システム。
【請求項１０】
前記第１の送信手段で送信する印刷属性の情報は、前記識別情報と印刷日時を含む情報であることを特徴とする請求項７乃至９の何れか１項に記載の印刷ログ管理システム。
【請求項１１】
前記文書登録装置は、
前記登録する印刷ログを検索するための検索情報を登録する検索情報登録手段と、を備え、
前記第２の送信手段は前記検索情報を送信することを特徴とする５乃至１０の何れか１項に記載の印刷ログ管理システム。
【請求項１２】
文書のデータを印刷装置に対応する印刷ジョブに変換する印刷制御プログラムを備える情報処理装置と、当該印刷ジョブの印刷ログを管理する印刷ログ管理装置と通信が可能な印刷ログ収集装置の処理方法であって、
前記印刷装置に対応する印刷ジョブに変換する印刷制御プログラムにて生成された印刷ジョブの、印刷者を含む印刷属性と、テキストデータまたはイメージデータのオブジェクトとを含む情報を印刷ログとして前記情報処理装置から取得する印刷ログ取得ステップと、
前記取得ステップで印刷ログとして取得した情報に対応する印刷ログが、前記印刷ログ管理装置に記憶されていない場合、前記印刷ログとして取得した前記情報を印刷ログとして前記印刷ログ管理装置に送信し、前記印刷ログとして取得した前記情報に対応するログが、前記印刷ログ管理装置に記憶されている場合、前記印刷ログとして取得した前記情報の、前記印刷者を含む印刷属性の情報を印刷ログとして前記印刷ログ管理装置に送信制御する送信制御ステップとを備えることを特徴とする印刷ログ収集装置の処理方法。
【請求項１３】
文書のデータを印刷装置に対応する印刷ジョブに変換する印刷制御プログラムを備える情報処理装置と、前記印刷ジョブの印刷ログを収集する印刷ログ収集装置と、当該印刷ログを管理する印刷ログ管理装置とが通信が可能な印刷ログ管理システムの処理方法であって、
前記情報処理装置は、
前記印刷制御プログラムによって変換される前記印刷ジョブの、印刷者を含む印刷属性と、テキストまたはイメージデータのオブジェクトとを含む情報を印刷ログとして前記印刷ログ収集装置に送信制御する第1の送信制御ステップとを備え、
前記印刷ログ収集装置は、
前記印刷装置に対応する印刷ジョブに変換する印刷制御プログラムにて生成された印刷ジョブの、前記印刷者を含む印刷属性と、前記テキストデータまたはイメージデータのオブジェクトとを含む情報を印刷ログとして前記情報処理装置から取得する印刷ログ取得ステップと、
前記印刷ログ取得ステップで印刷ログとして取得した前記情報に対応する印刷ログが前記印刷ログ管理装置に記憶されていない場合、前記印刷ログとして取得した前記情報を印刷ログとして前記印刷ログ管理装置に送信し、前記印刷ログ取得ステップで印刷ログとして取得した前記情報に対応する印刷ログが、前記印刷管理装置に記憶されている場合、前記印刷ログとして取得した前記情報の、前記印刷者を含む印刷属性の情報を印刷ログとして前記印刷ログ管理装置に送信制御する第２の送信制御ステップとを備えることを特徴とする印刷ログ管理システムの処理方法。
【請求項１４】
文書のデータを印刷装置に対応する印刷ジョブに変換する印刷制御プログラムを備える情報処理装置と、当該印刷ジョブの印刷ログを管理する印刷ログ管理装置と通信が可能な印刷ログ収集装置を、
前記印刷装置に対応する印刷ジョブに変換する印刷制御プログラムにて生成された印刷ジョブの、印刷者を含む印刷属性と、テキストデータまたはイメージデータのオブジェクトとを含む情報を印刷ログとして前記情報処理装置から取得する印刷ログ取得手段と、
前記取得手段で印刷ログとして取得した前記情報に対応する印刷ログが、前記印刷ログ管理装置に記憶されていない場合、前記印刷ログとして取得した前記情報を印刷ログとして前記印刷ログ管理装置に送信し、前記印刷ログとして取得した前記情報に対応する印刷ログが、前記印刷ログ管理装置に記憶されている場合、前記印刷ログとして取得した前記情報の、前記印刷者を含む印刷属性の情報を印刷ログとして前記印刷ログ管理装置に送信する送信手段として機能させることを特徴とするプログラム。
【手続補正２】
【補正対象書類名】明細書
【補正対象項目名】発明の名称
【補正方法】変更
【補正の内容】
【発明の名称】印刷ログ収集装置、印刷ログ管理システム、印刷ログ収集装置の処理方法、印刷ログ管理システムの処理方法及びプログラム
【手続補正３】
【補正対象書類名】明細書
【補正対象項目名】０００１
【補正方法】変更
【補正の内容】
【０００１】
本発明は、ネットワークを介して互いに接続される、印刷ログ管理システム、印刷ログ収集装置の処理方法、印刷ログ管理システムの処理方法及びプログラムに関する。
【手続補正４】
【補正対象書類名】明細書
【補正対象項目名】０００７
【補正方法】変更
【補正の内容】
【０００７】
本発明の目的は、上記の課題を解決するためになされたものであり、管理する印刷ログの容量を減らすことができる、印刷ログ管理システム、印刷ログ収集装置の処理方法、印刷ログ管理システムの処理方法及びプログラムを提供することにある。
【手続補正５】
【補正対象書類名】明細書
【補正対象項目名】０００８
【補正方法】変更
【補正の内容】
【０００８】
上記目的を達成するため、請求項１の印刷ログ収集装置は、文書のデータを印刷装置に対応する印刷ジョブに変換する印刷制御プログラムを備える情報処理装置と、当該印刷ジョブの印刷ログを管理する印刷ログ管理装置と通信が可能な印刷ログ収集装置であって、前記印刷装置に対応する印刷ジョブに変換する印刷制御プログラムにて生成された印刷ジョブの、印刷者を含む印刷属性と、テキストデータまたはイメージデータのオブジェクトとを含む情報を印刷ログとして前記情報処理装置から取得する印刷ログ取得手段と、前記取得手段で印刷ログとして取得した前記情報に対応する印刷ログが、前記印刷ログ管理装置に記憶されていない場合、前記印刷ログとして取得した前記情報を印刷ログとして前記印刷ログ管理装置に送信し、前記印刷ログとして取得した前記情報に対応する印刷ログが、前記印刷ログ管理装置に記憶されている場合、前記印刷ログとして取得した前記情報の、前記印刷者を含む印刷属性の情報を印刷ログとして前記印刷ログ管理装置に送信する送信手段とを備えることを特徴とする。
【手続補正６】
【補正対象書類名】明細書
【補正対象項目名】０００９
【補正方法】変更
【補正の内容】
【０００９】
上記目的を達成するため、請求項４の印刷ログ管理システムは、文書のデータを印刷装置に対応する印刷ジョブに変換する印刷制御プログラムを備える情報処理装置と、前記印刷ジョブの印刷ログを収集する印刷ログ収集装置と、当該印刷ログを管理する印刷ログ管理装置とが通信が可能な印刷ログ管理システムであって、前記情報処理装置は、前記印刷制御プログラムによって変換される前記印刷ジョブの、印刷者を含む印刷属性と、テキストまたはイメージデータのオブジェクトとを含む情報を印刷ログとして前記印刷ログ収集装置に送信する第1の送信手段とを備え、前記印刷ログ収集装置は、前記印刷装置に対応する印刷ジョブに変換する印刷制御プログラムにて生成された印刷ジョブの、前記印刷者を含む印刷属性と、前記テキストデータまたはイメージデータのオブジェクトとを含む情報を印刷ログとして前記情報処理装置から取得する印刷ログ取得手段と、前記印刷ログ取得手段で印刷ログとして取得した前記情報に対応する印刷ログが、前記印刷ログ管理装置に記憶されていない場合、前記印刷ログとして取得した前記情報を印刷ログとして前記印刷ログ管理装置に送信し、前記印刷ログ取得手段で印刷ログとして取得した前記情報に対応する印刷ログが、前記印刷管理装置に記憶されている場合、前記印刷ログとして取得した前記情報の、前記印刷者を含む印刷属性の情報を印刷ログとして前記印刷ログ管理装置に送信する第２の送信手段とを備えることを特徴とする。
【手続補正７】
【補正対象書類名】明細書
【補正対象項目名】００１０
【補正方法】変更
【補正の内容】
【００１０】
上記目的を達成するため、請求項１２の印刷ログ収集装置の処理方法は、文書のデータを印刷装置に対応する印刷ジョブに変換する印刷制御プログラムを備える情報処理装置と、当該印刷ジョブの印刷ログを管理する印刷ログ管理装置と通信が可能な印刷ログ収集装置の処理方法であって、前記印刷装置に対応する印刷ジョブに変換する印刷制御プログラムにて生成された印刷ジョブの、印刷者を含む印刷属性と、テキストデータまたはイメージデータのオブジェクトとを含む情報を印刷ログとして前記情報処理装置から取得する印刷ログ取得ステップと、前記取得ステップで印刷ログとして取得した情報に対応する印刷ログが、前記印刷ログ管理装置に記憶されていない場合、前記印刷ログとして取得した前記情報を印刷ログとして前記印刷ログ管理装置に送信し、前記印刷ログとして取得した前記情報に対応するログが、前記印刷ログ管理装置に記憶されている場合、前記印刷ログとして取得した前記情報の、前記印刷者を含む印刷属性の情報を印刷ログとして前記印刷ログ管理装置に送信制御する送信制御ステップとを備えることを特徴とする。
上記目的を達成するため、請求項１４のプログラムは、文書のデータを印刷装置に対応する印刷ジョブに変換する印刷制御プログラムを備える情報処理装置と、当該印刷ジョブの印刷ログを管理する印刷ログ管理装置と通信が可能な印刷ログ収集装置を、前記印刷装置に対応する印刷ジョブに変換する印刷制御プログラムにて生成された印刷ジョブの、印刷者を含む印刷属性と、テキストデータまたはイメージデータのオブジェクトとを含む情報を印刷ログとして前記情報処理装置から取得する印刷ログ取得手段と、前記取得手段で印刷ログとして取得した前記情報に対応する印刷ログが、前記印刷ログ管理装置に記憶されていない場合、前記印刷ログとして取得した前記情報を印刷ログとして前記印刷ログ管理装置に送信し、前記印刷ログとして取得した前記情報に対応する印刷ログが、前記印刷ログ管理装置に記憶されている場合、前記印刷ログとして取得した前記情報の、前記印刷者を含む印刷属性の情報を印刷ログとして前記印刷ログ管理装置に送信する送信手段として機能させることを特徴とする。
【手続補正８】
【補正対象書類名】明細書
【補正対象項目名】００１１
【補正方法】変更
【補正の内容】
【００１１】
本発明によれば、管理する印刷ログの容量を減らすことができる、という効果がある。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】